(57)【要約】      （修正有）【課題】紙幣を封入するのし袋の表書きに名前を記載する際に、中央位置に真っ直ぐに氏名を記載することをサポートする、のし袋名前書き用字数目盛付きシートを提供する。【解決手段】紙幣を封入するのし袋２の表書きに名前を記載する際に、中央位置に真っ直ぐに氏名を記載することをサポートする、のし袋名前書き用字数目盛付きシート１であり、のし袋の横幅と同一幅のシートを備え、シートの中央にのし袋の水引２ａより下部の高さに相当する高さからなる長方形の孔１１を形成し、孔の両脇に孔の高さを氏名の文字数に相当する数に分割する目盛１２，１３を記載する。【選択図】図３
0003213093.tif 000002
【実用新案登録請求の範囲】
【請求項１】
紙幣を封入するのし袋の表書きに名前を記載する際に、中央位置に真っ直ぐに氏名を記載することをサポートするのし袋名前書き用字数目盛付きシートであって、
前記のし袋の横幅と同一幅のシートを備え、このシートの中央に前記のし袋の水引より下部の高さに相当する高さからなる長方形の孔が形成され、
且つ、前記孔の両脇に前記孔の高さを氏名の文字数に相当する数に分割する目盛が記載されていること
を特徴とするのし袋名前書き用字数目盛付きシート。
【請求項２】
前記目盛は、前記孔の一方の側辺の脇に４文字に相当する目盛が記載され、他方の側辺の脇に５文字に相当する目盛が記載されていること
を特徴とする請求項１に記載ののし袋名前書き用字数目盛付きシート。
【請求項３】
前記孔の上方又は下方には、中心線が記載されていること
を特徴とする請求項１又は２に記載ののし袋名前書き用字数目盛付きシート。
【考案の詳細な説明】
【技術分野】
【０００１】
本考案は、紙幣を封入するのし袋の表書きに名前を記載する際に、中央位置に真っ直ぐに氏名を記載することをサポートするのし袋名前書き用字数目盛付きシートに関する。
【背景技術】
【０００２】
従来、慶事の際に贈る祝儀袋や、弔事の際に贈るご霊前、ご佛前、ご香典袋等の不祝儀袋などののし袋には、氏名を筆ペンや毛筆などを用いて記載している。しかし、現在では、筆ペンや毛筆を日常使いなれておらず、このような祝儀袋や不祝儀袋などののし袋に水引等とのバランスを考えて、鉛筆等で補助線を記載せずに、のし袋の下部真ん中に真っ直ぐ氏名を記載することは困難であるという問題があった。また、氏名を記載するのを失敗すると、書き直しができず、のし袋が無駄になってしまうという問題もあった。
【０００３】
このような問題を解決するために、例えば、特許文献１には、のし袋に設置される短冊用の筆記練習用具であって、縦方向のサイズが前記短冊と同一サイズであり、前記短冊において氏名が記載される氏名記載領域に対応する下部領域に、複数の文字数を記載することが想定された文字枠が設けられている筆記練習用具が開示されている（特許文献１の請求項１、明細書の段落［００１１］〜［００１８］、図面の図４等参照）。
【０００４】
しかし、特許文献１に記載の筆記練習用具は、あくまでも試し書き用の筆記練習用具であり、短冊に記載する場合はよいが、のし袋に直接記載する際は、清書の際に書き損じるおそれは残っていた。
【先行技術文献】
【特許文献】
【０００５】
【特許文献１】実用新案登録３２０１３２４号公報
【考案の概要】
【考案が解決しようとする課題】
【０００６】
そこで、本考案は、上述した問題点に鑑みて案出されたものであり、その目的とすると
ころは、紙幣を封入するのし袋の表書きに名前を記載する際に、中央位置に真っ直ぐに氏名を記載することをサポートするのし袋名前書き用字数目盛付きシートを提供することにある。
【課題を解決するための手段】
【０００７】
請求項１に記載ののし袋名前書き用字数目盛付きシートは、紙幣を封入するのし袋の表書きに名前を記載する際に、中央位置に真っ直ぐに氏名を記載することをサポートするのし袋名前書き用字数目盛付きシートであって、前記のし袋の横幅と同一幅のシートを備え、このシートの中央に前記のし袋の水引より下部の高さに相当する高さからなる長方形の孔が形成され、且つ、前記孔の両脇に前記孔の高さを氏名の文字数に相当する数に分割する目盛が記載されていることを特徴とする。
【０００８】
請求項２に記載ののし袋名前書き用字数目盛付きシートは、請求項１に記載ののし袋名前書き用字数目盛付きシートにおいて、前記目盛は、前記孔の一方の側辺の脇に４文字に相当する目盛が記載され、他方の側辺の脇に５文字に相当する目盛が記載されていることを特徴とする。
【０００９】
請求項３に記載ののし袋名前書き用字数目盛付きシートは、請求項１又は２に記載ののし袋名前書き用字数目盛付きシートにおいて、前記孔の上方又は下方には、中心線が記載されていることを特徴とする。
【考案の効果】
【００１０】
請求項１及び２に記載ののし袋名前書き用字数目盛付きシートによれば、シートの孔の位置で名前を記載すべき位置が分かり、且つ、一文字の大きさが目盛で把握できるので、のし袋に容易に自分の名前を筆ペン等で書くことができる。このため、のし袋を無駄にすることが少なく、経済的である。
【００１１】
特に、請求項３に記載ののし袋名前書き用字数目盛付きシートによれば、中心線が記載されているため、さらに氏名を真っ直ぐに書くことが容易となる。
【図面の簡単な説明】
【００１２】
【図１】本考案の第１実施形態に係るのし袋名前書き用字数目盛付きシートを示す平面図である。
【図２】のし袋として例示する祝儀袋を示す平面図である。
【図３】第１実施形態に係るのし袋名前書き用字数目盛付きシートの使用状態を示す平面図である。
【図４】本考案の第２実施形態に係るのし袋名前書き用字数目盛付きシートを示す平面図である。
【図５】のし袋として例示する不祝儀袋を示す平面図である。
【図６】第２実施形態に係るのし袋名前書き用字数目盛付きシートの使用状態を示す平面図である。
【考案を実施するための形態】
【００１３】
以下、本考案に係るのし袋名前書き用字数目盛付きシートの実施形態について、図面を参照しながら詳細に説明する。
【００１４】
［第１実施形態］
先ず、図１〜図３を用いて、本考案の第１実施形態に係るのし袋名前書き用字数目盛付きシート１について説明する。図１は、本考案の第１実施形態に係るのし袋名前書き用字数目盛付きシート１を示す平面図であり、図２は、のし袋として例示する祝儀袋２を示す平面図である。また、図３は、のし袋名前書き用字数目盛付きシート１の使用状態を示す平面図である。
【００１５】
本考案に係るのし袋名前書き用字数目盛付きシートは、販売されるのし袋の樹脂フィル内に、のし袋と一緒に封入されるものである。本考案に係るのし袋名前書き用字数目盛付きシートは、のし袋の表書きに名前を記載する際にテンプレートとして使用し、氏名を筆ペンや毛筆などを用いて中央に真っ直ぐ書くのをサポートするものである。
【００１６】
図１に示すように、本考案の第１実施形態に係るのし袋名前書き用字数目盛付きシート１は、幅Ｗ１＝９５ｍｍ×高さＨ１＝８７．５ｍｍの横長な紙製の長方形状のシート本体１０と、このシート本体１０の幅方向の中央に形成された長方形の孔１１など、から構成されている。勿論、本考案に係るのし袋名前書き用字数目盛付きシートは、紙製に限られず、樹脂製のシートなど薄いシート状の素材からなるものであれば適用することができることは云うまでもない。
【００１７】
なお、紙幣を封入して贈るのし袋には、慶事の際に贈る祝儀袋や、弔事の際に贈るご霊前、ご佛前、ご香典袋等の不祝儀袋など、種々存在するが、図２に示すように、折り畳んだ状態で幅がＷ２＝９５ｍｍ×高さＨ２＝１８０ｍｍの水引２ａがプリントされた祝儀袋２を例示して説明する。
【００１８】
シート本体１０の幅Ｗ１は、一緒に封入されるのし袋である祝儀袋２の幅Ｗ２＝９５ｍｍに合せたものであり、祝儀袋２の上にシート本体１０の幅を合せて重ねることで、長方形の孔１１が祝儀袋２の幅方向中央に位置するようにしたものである。
【００１９】
この長方形の孔１１は、氏名を書くときに用いるものであり、幅Ｗ３＝２０ｍｍ×高さＨ３＝７０．５ｍｍの縦長な孔となっている。また、この長方形の孔１１の位置は、長方形の孔１１の上辺が、シート本体１０の上辺から１２．５ｍｍ、長方形の孔１１の下辺が、シート本体１０の下辺ら４．５ｍｍとなるように設定されている。
【００２０】
このため、図３に示すように、のし袋名前書き用字数目盛付きシート１の下端を、祝儀袋２の下端に合せて重ねると、長方形の孔１１の高さ方向の位置が、祝儀袋２に印字された水引２ａの下方中央に位置することとなる。このため、祝儀袋２に氏名を書く際に長方形の孔１１の位置が、丁度良い位置となり、定規などを用いて下書き等をすることなく、氏名○○△△を適切な位置に書くことができる。
【００２１】
なお、図３に示すように、のし袋名前書き用字数目盛付きシート１の上端を、祝儀袋２の水引２ａの下端ラインに合せても、前述と同様に、祝儀袋２に氏名を書く際に長方形の孔１１の位置が丁度良い位置となるように設定されている。
【００２２】
また、図１に示すように、シート本体１０の長方形の孔１１の側辺の両脇には、孔の高さＨ３を氏名の文字数に相当する数に均等に分割する目盛が印刷されている。本実施形態に係るのし袋名前書き用字数目盛付きシート１では、長方形の孔１１の左の側辺の脇に、４文字分の均等な４つの目盛１２が印刷され、長方形の孔１１の右の側辺の脇に、５文字分の均等な５つの目盛１３が印刷されている。
【００２３】
このため、図３に示すように、４文字の氏名○○△△を書く場合は、左の目盛１２を見ながら書くことで、容易に祝儀袋２の正確な位置に、氏名の各文字を書くことが可能となる。また、５文字の氏名を書く場合は、右の目盛１３を見ながら書けばよい。
【００２４】
その上、図１に示すように、シート本体１０の長方形の孔１１の上辺の上及び下辺の下には、中心ライン１４が印刷されている。このため、図３に示すように、氏名○○△△を書く際の中心位置が容易に分かり、氏名を真っ直ぐに書くことができる。
【００２５】
以上説明した第１実施形態に係るのし袋名前書き用字数目盛付きシート１によれば、長方形の孔１１の位置で名前を記載すべき位置が分かり、且つ、一文字の大きさが目盛１２や目盛１３で把握できるので、祝儀袋２に容易に自分の名前を筆ペン等で書くことができる。このため、祝儀袋２を無駄にすることが少なく、経済的である。
【００２６】
また、目盛１２や目盛１３は、４文字又は５文字であるが、日本人の大多数が４文字又は５文字の氏名であることを考えると、極めて大勢の人に対して有効と云える。また、氏名が３文字以内や、６文字以上の場合であっても、長方形の孔１１の位置で、記載すべき範囲が分かるため、祝儀袋２に容易に名前を書くことができる。
【００２７】
さらに、のし袋名前書き用字数目盛付きシートによれば、中心ライン１４により、氏名○○△△を記載すべき、中心線が把握できるため、さらに氏名を真っ直ぐに書くことが容易となる。この点は、氏名が何文字でも同様である。
【００２８】
［第２実施形態］
次に、図４〜図６を用いて、本考案の第２実施形態に係るのし袋名前書き用字数目盛付きシート３について説明する。図４は、本考案の第２実施形態に係るのし袋名前書き用字数目盛付きシート３を示す平面図であり、図５は、のし袋として例示する不祝儀袋４を示す平面図である。また、図６は、のし袋名前書き用字数目盛付きシート３の使用状態を示す平面図である。
【００２９】
本実施形態に係るのし袋名前書き用字数目盛付きシート３も、販売されるのし袋の樹脂フィル内に、のし袋と一緒に封入されるものであり、のし袋の表書きに名前を記載する際にテンプレートとして使用し、氏名を筆ペンや毛筆などを用いて中央に真っ直ぐ書くのをサポートするものである。
【００３０】
図４に示すように、本考案の第２実施形態に係るのし袋名前書き用字数目盛付きシート３は、幅Ｗ４＝１０５ｍｍ×高さＨ４＝８０ｍｍの横長な紙製の長方形状のシート本体３０と、このシート本体３０の幅方向の中央に形成された長方形の孔３１など、から構成されている。
【００３１】
本実実施形態では、のし袋として弔事の際に贈るご霊前、ご佛前、ご香典袋等の不祝儀袋４を例示して説明する。図５に示すように、不祝儀袋４は、折り畳んだ状態で幅がＷ５＝１０５ｍｍ×高さＨ５＝１８６ｍｍであり、水引４ａが装着された上、その水引４ａに、下部に氏名を記載する短冊４ｂを差し込んで使用するタイプののし袋である。
【００３２】
また、短冊４ｂは、幅が３０ｍｍで高さがのし袋の高さＨ５＝１８６ｍｍに設定されており、上部に、「御霊前」、「御佛前」、「御香典」の文字がそれぞれ印刷されたものが複数枚用意されている。この短冊４ｂは、下部の空欄に氏名を記載して水引４ａに差し込んで贈るものである。
【００３３】
図４、図６に示すように、シート本体３０の幅Ｗ４は、一緒に封入されるのし袋である不祝儀袋４の幅Ｗ５＝１０５ｍｍに合せたものであり、不祝儀袋４の上にシート本体３０の幅を合せて重ねることで、長方形の孔３１が不祝儀袋４の幅方向中央に位置するようにしたものである。
【００３４】
この長方形の孔３１は、氏名を書くときに用いるものであり、前述ののし袋名前書き用字数目盛付きシート１の長方形の孔１１と同じ大きさの幅Ｗ３＝２０ｍｍ×高さＨ３＝７０．５ｍｍの縦長な孔となっている。また、この長方形の孔３１の位置は、長方形の孔３１の上辺が、シート本体３０の上辺から５．０ｍｍ、長方形の孔３１の下辺が、シート本体３０の下辺ら４．５ｍｍとなるように設定されている。
【００３５】
このため、図６に示すように、のし袋名前書き用字数目盛付きシート３の下端を、不祝儀袋４の下端に合せて重ねると、長方形の孔３１の高さ方向の位置が、不祝儀袋４に装着された水引４ａの下方中央に位置することとなる。このため、不祝儀袋４に氏名を書く際に長方形の孔３１の位置が、丁度良い位置となり、定規などを用いて下書き等をすることなく、氏名○○△△を適切な位置に書くことができる。
【００３６】
なお、例示する不祝儀袋４は、水引４ａを装着するタイプののし袋であり、水引４ａが大きいので、不祝儀袋４の高さ方向の中央やや下部に水引４ａの下端を位置させることが適切である。このため、このような位置に水引４ａを装着し易いように、シート本体３０の高さＨ４が設定されている。
【００３７】
また、図４に示すように、シート本体３０の長方形の孔３１の側辺の両脇には、孔の高さＨ３を氏名の文字数に相当する数に均等に分割する目盛が印刷されている。本実施形態に係るのし袋名前書き用字数目盛付きシート３では、長方形の孔３１の左の側辺の脇に、４文字分の均等な４つの目盛３２が印刷され、長方形の孔３１の右の側辺の脇に、５文字分の均等な５つの目盛３３が印刷されている。
【００３８】
このため、図６に示すように、４文字の氏名○○△△を書く場合は、左の目盛３２を見ながら書くことで、容易に不祝儀袋４の正確な位置に、氏名を書くことが可能となる。また、５文字の氏名を書く場合は、右の目盛３３を見ながら書けばよい。
【００３９】
その上、図４に示すように、シート本体３０の長方形の孔３１の上辺の上及び下辺の下には、中心ライン３４が印刷されている。このため、図６に示すように、氏名○○△△を書く際の中心位置が容易に分かり、氏名を真っ直ぐに書くことができる。
【００４０】
それに加え、図４に示すように、シート本体３０の長方形の孔３１の両脇には、短冊４ｂの装着位置の目安となる短冊ライン３５が破線で印刷されている。このため、短冊４ｂの位置調整ができるとともに、長方形の孔３１により短冊４ｂに記載すべき氏名の位置が把握できる。
【００４１】
なお、符号３６は、シート本体３０の一部を切り取った孔ではなく、シート本体３０に印刷された長方形の孔３１と同じ大きさの試し書きに用いる練習用枠である。また、この練習用枠３６の両脇には、長方形の孔３１と同様に目盛３２、目盛３３も印刷されている。
【００４２】
以上説明した第２実施形態に係るのし袋名前書き用字数目盛付きシート３によれば、長方形の孔３１の位置で名前を記載すべき位置が分かり、且つ、一文字の大きさが目盛３２や目盛３３で把握できるので、不祝儀袋４の短冊４ｂに容易に自分の名前を筆ペン等で書くことができる。このため、短冊４ｂを無駄にすることが少なく、経済的である。
【００４３】
そして、のし袋名前書き用字数目盛付きシート３によれば、前述ののし袋名前書き用字数目盛付きシート１の作用効果に加え、シート本体３０の右欄に練習用枠３６が印刷されているので、氏名の試し書きができるため、さらに失敗するおそれが少なくなる。
【００４４】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【００４５】
特に、寸法等は、実施形態として例示した、のし袋名前書き用字数目盛付きシートと一緒に封入するのし袋に合せたものであり、のし袋の寸法によって適宜調整すればよいことは云うまでもない。
【符号の説明】
【００４６】
１，３：のし袋名前書き用字数目盛付きシート
１０，３０：シート本体
１１，３１：長方形の孔
１２，１３，３２，３３：目盛
１４，３４：中心ライン
３５：短冊ライン
３６：練習用枠
２：祝儀袋（のし袋）
２ａ：水引（プリント）
４：不祝儀袋（のし袋）
４ａ：水引
４ｂ：短冊
【図１】
0003213093.tif 000003
【図２】
0003213093.tif 000004
【図３】
0003213093.tif 000005
【図４】
0003213093.tif 000006
【図５】
0003213093.tif 000007
【図６】
0003213093.tif 000008